(57)【要約】顔面シール部分を備える折り畳み可能な頭部カバーアセンブリを備えるレスピレータシステムが開示される。レスピレータアセンブリは、頭部カバーアセンブリに取り付けられるバイザーアセンブリと、バイザーアセンブリに着脱自在に取り付けられる頭部サスペンションシステムと、を更に備える。一方でバイザーアセンブリ及び頭部カバーアセンブリ、他方でサスペンションシステムは、これらを個別に保管及び／又は出荷できるようにするために、分離可能であり、かつ折り畳み可能である。頭部サスペンションシステムもまた開示される。
2011504787.tif 000002
【特許請求の範囲】
【請求項１】
顔面シール部分を備える折り畳み可能な頭部カバーアセンブリと、
該頭部カバーアセンブリに取り付けられるバイザーアセンブリと、
該バイザーアセンブリに着脱自在に取り付けられる頭部サスペンションシステムと、
を備えるレスピレータシステム。
【請求項２】
前記顔面シール部分の外側周辺は、少なくとも一部がユーザの顎先の下に配置される、請求項１に記載のシステム。
【請求項３】
前記バイザーアセンブリが、前記バイザーアセンブリの対向する側面上に位置決めされる少なくとも２つの受容領域を含み、前記頭部サスペンションシステムが少なくとも２つの解放機構を含み、該解放機構のそれぞれが該受容領域の対応する一方に解放可能に付着する、請求項１に記載のシステム。
【請求項４】
前記頭部サスペンションシステムがヘッドバンド部材を備え、前記各解放機構が該ヘッドバンド部材に対して折り畳み可能である、請求項３に記載のシステム。
【請求項５】
前記受容領域のそれぞれが、タブと、該タブの中の開口部とを備え、前記解放機構のそれぞれが、対応する開口部と係合するように構成される突起を備える、請求項３に記載のシステム。
【請求項６】
前記解放機構が、前記対応するタブの縁部を摺動自在に受容するように適合された、少なくとも１つのチャネルを有する、請求項５に記載のシステム。
【請求項７】
前記頭部サスペンションシステムが前記頭部カバーアセンブリに解放可能に固定される、請求項１に記載のシステム。
【請求項８】
前記頭部サスペンションシステムが一対の保持部材を備え、前記頭部カバーアセンブリが一対のタブを備え、各タブは対応する保持部材に解放可能に固定される、請求項７に記載のシステム。
【請求項９】
前記頭部サスペンションシステムが、前記頭部サスペンションシステムを着用者の頭部の寸法に調整することが可能な、少なくとも１つの調整ストラップを有する、請求項１に記載のシステム。
【請求項１０】
前記頭部サスペンションシステムがワンピース構造である、請求項１に記載のシステム。
【請求項１１】
前記頭部カバーアセンブリに取り付けられる囲い板を更に備える、請求項１に記載のシステム。
【請求項１２】
前記頭部カバー部材に着脱自在に取り付けられる流体継手構造を更に備える、請求項１に記載のシステム。
【請求項１３】
レスピレータシステムのバイザーアセンブリに着脱自在に取り付けられるように適合された頭部サスペンションシステムであって、該レスピレータシステムは折り畳み可能な頭部カバーアセンブリを含み、該頭部サスペンションシステムは、着用者の頭部に装着されるように適合されたヘッドバンド部材と、それぞれが該バイザーアセンブリに着脱自在に取り付けられるように構成された少なくとも２つの解放機構と、を備え、広げられた状態の該頭部サスペンションシステムは概ね平面形状を形成する、頭部サスペンションシステム。
【請求項１４】
前記頭部カバーアセンブリをそこに解放可能に固定するように構成された少なくとも１つの保持部材を更に備える、請求項１３に記載の頭部サスペンションシステム。
【請求項１５】
前記頭部サスペンションシステムが、開口部を形成する可撓性壁要素を有する一対の保持部材を備える、請求項１４に記載の頭部サスペンションシステム。
【請求項１６】
前記頭部サスペンションシステムが一対のウイングセグメントを更に備え、該ウイングセグメントのそれぞれが対応する解放機構を前記ヘッドバンドに接続し、該ウイングセグメントがリビングヒンジによって前記ヘッドバンド要素に対して折り畳み可能である、請求項１３に記載の頭部サスペンションシステム。
【請求項１７】
前記頭部サスペンションシステムがワンピース構造である、請求項１３に記載の頭部サスペンションシステム。
【発明の詳細な説明】
【技術分野】
【０００１】
本開示は、概して、レスピレータシステムに関する。より詳細には、本開示は、頭部カバーアセンブリと、頭部カバーアセンブリに取り付けられるバイザーアセンブリと、バイザーアセンブリに解放可能に取り付けられるサスペンションシステムと、を備えるレスピレータシステムに関する。
【背景技術】
【０００２】
レスピレータシステムは、多くの場合、粉塵、煙気、蒸気、及び／又は気体を含有する環境の中でユーザが呼吸するのを助けるために使用される。レスピレータシステムは、多様な種類及び寸法で販売されており、軍隊、工業、及び一般人によって、様々な目的のために使用され得る。レスピレータシステムは、レスピレータシステムが着用される環境に適した、柔軟で可撓性のある材料を通常は含む、呼吸用フードとレスピレータの頭部カバーとを非限定的に含む。レスピレータシステムには、典型的には、バイザー又はフェイスシールドが含まれ、これらは、周囲環境の実質的に無制限の適度な視野をユーザに提供するための任意の好適な構成を有することができる。
【０００３】
多くの一般的なレスピレータシステムは、フードの内部に取り付けられる頭部サスペンションシステムを用いて、ユーザの頭部に装着される。バイザーを支持する頭部サスペンションシステムは、典型的には、フードの内部の様々な場所に縫い合わされることで、可撓性フードに固定されて保持される。レスピレータシステムは、典型的には、周囲の外部気体空間からユーザの呼吸ゾーン又は内部気体空間を分離するシェルを備える。呼吸ゾーンは、シェルと着用者の顔との間に位置し、典型的な頭部カバーでは、シェルは、少なくとも頭部カバーアセンブリとバイザーアセンブリとによって画定され得る。送気レスピレータシステムでは、給気タンクから、又は空気ろ過器を介して周囲空気を推進する動力空気源から、清浄な空気が内部気体空間の中へ、通常はホースを用いて圧入される。着用者はこの空気を吸い込んで、それを呼吸ゾーンの中に吐き戻す。この呼気は、呼吸ゾーンに圧入された余分な清浄空気とともに、顔面シールの中の開口部を通って、又は任意のその他の好適な経路を通って、呼吸ゾーンから出ていくことができる。前者のケースでは、通常内部気体空間内に発生する正圧は、典型的には、汚染物質が開口部を通って内部気体空間に入るのを防止する。
【０００４】
頭部カバーを使用するレスピレータシステムの既知の構成は、頭部カバーに固着された頭部ハーネスを含む。したがって、このようなレスピレータシステムは、ユニットとして保管及び／又は出荷されなければならず、その結果、追加の保管及び出荷コストがかかる。更に、バイザー又は頭部カバーの材料等の構成要素の１つ以上が損傷、ないしは別の方法で使用不能になった場合、レスピレータシステム全部を破棄しなければならない場合があり、又は損傷を受けていない構成要素の回収は、比較的厄介なプロセスになる場合がある。
【発明の概要】
【発明が解決しようとする課題】
【０００５】
したがって、この分野における、特に、レスピレータシステムの構成要素を個別に保管及び／又は出荷するために、レスピレータシステムの構成要素を分離しかつ折り畳むことができるといった観点からの改善を提供する、という継続的な要望が存在する。
【課題を解決するための手段】
【０００６】
１つの例示の実施形態において、本開示は、顔面シール部分を含む折り畳み可能な頭部カバーアセンブリを備えるレスピレータシステムを提供する。レスピレータシステムは、頭部カバーアセンブリに取り付けられるバイザーアセンブリを更に備える。頭部サスペンションシステムは、バイザーアセンブリに着脱自在に取り付けられる。
【０００７】
別の例示の実施形態において、本開示は、レスピレータシステムのバイザーアセンブリに着脱自在に取り付けられるように適合された頭部サスペンションシステムを提供する。レスピレータシステムは、折り畳み可能な頭部カバーアセンブリを備える。頭部サスペンションシステムは、着用者の頭部に装着されるように適合されたヘッドバンド部材と、それぞれがバイザーアセンブリに着脱自在に取り付けられるように構成された少なくとも２つの解放機構と、を備える。広げられた状態の頭部サスペンションシステムは、概ね平面形状を形成する。
【０００８】
添付の図面と併せて、本開示の上記の態様及びその他の特長について詳細に説明するが、添付図面では、いくつかの図面にわたって、同じ構造体を示すために同じ参照番号を用いている。
【図面の簡単な説明】
【０００９】
開示される主題は、添付図面を参照して更に説明され、同様の構造は種々の図にわたって同様の参照番号によって示される。
【図１】本開示に従って構築されたレスピレータシステムの１つの例示の実施形態の概略透視図。
【図２】例示の流体継手構造の透視分解図。
【図３】本開示の実施形態に従って作製された、組み立てられた頭部サスペンションシステムの前側斜視図。
【図４】本開示の実施形態に従って作製された、分解されかつ広げられた頭部サスペンションシステムの平面図。
【図５】本開示の一実施形態による、頭部サスペンションシステムが除去された状態の、折り畳まれたバイザーアセンブリ及び頭部カバーアセンブリの透視図。
【図６Ａ】本開示による例示の解放機構の対向側部の逆転した図を示す拡大分解斜視図。
【図６Ｂ】本開示による例示の解放機構の対向側部の逆転した図を示す拡大分解斜視図。
【図７】本開示による解放機構の別の例示の実施形態を示す拡大分解斜視図。
【図８】本開示のレスピレータシステムの部分拡大透視図。
【図９】本開示の実施形態による、頭部サスペンションシステムが除去された状態の、囲い板を備える、折り畳まれたバイザーアセンブリ及び頭部カバーアセンブリの透視図。
【００１０】
上記の図面は、開示される主題の１以上の実施形態を記載するが、他の実施形態もまた開示の中で述べられるように企図される。すべての場合において、本開示は、制限条件としてではなく、代表的な例として開示される主題を提供する。本開示の原則の範囲及び趣旨内に入る、多数の他の変更及び実施形態が当業者によって考案され得ることが、理解されるべきである。
【発明を実施するための形態】
【００１１】
本開示は、既知のレスピレータシステムの利益に勝る利益を提供する。例えば、本開示は、組み立てられて使用される際の呼吸ゾーンの一体性を依然として維持しつつ、システム構成要素をコンパクトで比較的平面形状に比較的簡単に組み立て及び分解ができる頭部サスペンションシステム、を有するレスピレータシステムを提供する。
【００１２】
用語「ａ」、「ａｎ」、及び「ｔｈｅ」は、１つ以上の記載された要素と互換的に用いられる。開示する物品の様々な要素の位置について、「最上部の」、「底部」などの配向の語を使用することによって、水平に配置させた本体部分に対する要素の相対位置を指す。開示された物品が、その製造中又は製造後に、空間内のいずれかの具体的な配向を有することを意図しない。
【００１３】
図１は、出荷用に比較的容易に比較的平面形状に分解するのを容易にし、またその一方で、組み立てられて使用される際に、レスピレータシステムの一体性を維持することを可能とする、という本開示の原理に従って構成された、レスピレータシステム１０の例示の実施形態を示す。
【００１４】
本開示の１つの例示の実施形態では、分離可能及び折り畳み可能であることによって折り畳まれ、かつ別個の容器に入れて出荷することができる主要構成要素を有する、レスピレータシステム１０を提供することができる。図１に示されるように、レスピレータシステム１０は、頭部カバーアセンブリ１２と、頭部サスペンションシステム１４と、バイザーアセンブリ１６と、空気供給システム１８と、を備えることができる。１つの例示の実施形態において、本開示は、空気浄化要素を通して周囲空気をレスピレータシステムの吸気口開口部２４まで押し進める送風機を有する、電動ファン付き空気清浄レスピレータ（PAPR: powered air purifying respirator）システムを使用する、レスピレータシステムを目的とする。しかしながら、本開示はこれに限定されず、負圧システムを含むがこれに限定されない任意のその他の好適な給気システムを含むことができる。他の代表的な給気システムは、自給式呼吸器（SCBA: self contained breathing apparatus）等の任意の好適な送気システム又は圧縮空気システムを非限定的に含むことができる。
【００１５】
頭部カバーアセンブリ１２及びバイザーアセンブリ１６は、頭部サスペンションシステム１４を用いてユーザの頭部に装着され得る。頭部カバーアセンブリ１２及びバイザーアセンブリ１６は、呼吸ゾーン又は内部気体空間を周囲の外部気体空間から分離するシェルを形成することができる。バイザーアセンブリ１６は、プラスチック材料などの任意の好適な透明な材料で作製されてよい透明部材を備える。好ましくは、バイザーは、例えば、図１に示されるように、レスピレータシステムが組み立てられると、曲げられて概ね円筒面を形成することができるように、及び、例えば、図５及び図９に示されるように、頭部サスペンションシステムが除去されると、平たくされて概ね平面形状を形成することができるように、剛性かつ可撓性である。ポリエステル又はアセテートを使用してバイザーを作製してもよい。バイザーアセンブリ１６は、ユーザの目の前に配置される透明性の高い部分を含んでもよく、及び／又は視界を制限する部分的に透明な部分を有してもよい。バイザーアセンブリ１６はまた、スプラッシュハザードに対する防御を提供するように、及び／又は着用者に特定の視界を提供するように、構成されてもよい。特定のバイザーアセンブリが図示されているが、特定のレスピレータシステムの使用と整合性がとれるその他の好適な種類のバイザーアセンブリを提供することが可能である。
【００１６】
最初に、給気システム８０と組み合わせて使用するように適合され得る頭部カバーアセンブリ１２の１つの例示の実施形態を参照する。頭部カバーアセンブリ１２は、頭部カバー部材２２と顔面シール部分４０とを備えてもよい。例示の頭部カバー部材２２は、ユーザの頭部及び耳の上及び周囲に被嵌するように構成される。その他の頭部カバー部材は、ユーザの耳、並びに、場合によっては、更には着用者の首及び肩、に対する適用範囲を提供するように構成されてもよい。そのような追加の適用範囲は、ユーザの首及び肩の上に延在する囲い板１５（図９に示される）によって提供されてもよい。頭部カバー部材２２は、少なくとも部分的に、意図される目的に適用可能でありかつ好適であり得る、当該技術分野において既知である任意の好適な可撓性材料タイプで作製されてもよい。例えば、レスピレータの頭部カバー部材２２は、製薬産業、医療産業、及び軍事産業、並びに任意のその他の関連産業において使用することができ、及び任意のその他の好適な目的のために使用することができる。本開示は、折り畳むことが可能な、及び好ましくは、出荷に好適な比較的平面形状に折り畳むことが可能な、頭部カバー部材２２を目的とする。例示の頭部カバー部材は、ポリエチレン、ポリプロピレン等で製造されたウェブのような不織布材料、及び、ナイロン、コーティングされたナイロン等のような織材料を、非限定的に含んでもよい。
【００１７】
頭部カバー部材２２は、給気システム８０と協働する吸気口開口部２４と、ユーザの頭部を受容する頭部開口部２６と、バイザーアセンブリ１６を収容するバイザー開口部２８と備えてもよい。バイザーアセンブリ１６は、例えば、縫合、溶接、熱融着、結合等によって、開口部２８に沿って頭部カバーアセンブリ１２に、着脱自在に又は恒久的に取り付けられてもよい。囲い板１５（図９に示される）は、例えば、頭部開口部に沿って取り付けられることによって、頭部カバーアセンブリに含まれてもよい。吸気口開口部２４は、頭部カバー部材２２の後ろに設置されてもよい。空気吸気口の流体継手構造３０（図２に示される）はホース３１に接続可能であってもよく、順次、給気システム８０に接続されてもよい。給気システム８０は、外気をろ過して、濾過した空気を頭部カバーアセンブリの内部に移動させる濾過システム（図示せず）を含んでもよい。これは、着用者が、自発的な呼吸に適さない可能性がある外部の空気と接触するのを防ぐ。
【００１８】
例示の実施形態では、レスピレータシステムシェルの吸気口開口部２４を通って入る空気を、呼吸ゾーンの中に通過させることができる。図１に図示される例示の実施形態では、吸気口２４を通って入る空気は、シェル（ここでは、頭部カバーアセンブリ１２とバイザーアセンブリ１６とによって画定されている）とユーザの頭部との間を循環することができる。より詳細には、本開示の典型的な実施形態は、ユーザの頭部の周囲に配置される、空気を方向付けるダクトを含まない。空気を方向付けるダクトの例は、入口開口部２４に連結される吸気口と、ユーザの顔付近に配置される１つ以上の排気口と、を有する、空気を方向付けるマニホルドである。空気を方向付けるダクトのその他の例は、互いに縫合されてもよい材料の２枚の可撓性シートの間を空気が通過するような、剛性の、部分的に剛性の、又は可撓性の、空気を方向付けるマニホルドである。
【００１９】
ここで図２を参照すると、流体継手構造３０は、吸気口開口部２４の中に挿入されると、頭部カバー部材２２の内部から突出するように適合され得る管部分３４を有する流体カップラーホースコネクタ３２と、リング部分３３と、を含んでもよい。流体継手構造３０は、スナップ嵌め接続、ネジ接続等によってホース（図示せず）に接続されるように適合されてもよい。固定カラー３６は、管部分３４を収容するための中央開口部を有する。管部分３４の上の周辺隆起部３７は、固定カラー３６をホースコネクタ３２及び頭部カバー部材２２に着脱自在に取り付けるために、固定カラー３６上のバイアスされた指留め３８と解放可能に協働するように適合されていてもよい。ホースコネクタ３２が固定カラー３６に解放可能に係合されると、吸気口開口部２４近傍に配置される頭部カバー部材２２の材料は、固定カラー３６とリング部分３３との間に挟まれてもよいことは理解されよう。
【００２０】
１つの例示の実施形態において、固定カラー３６を、管部分３４の上でかつリング部分３３に接触させて嵌合させるために、指留め３８を、管部分の開口部の中心軸に対して内向きに押圧する。したがって、内部の係止縁部３９は、中心軸から離れるように旋回する。固定カラー３６を管部分の上に定置した後に、押圧力を解除することで、指留め３８のそれぞれに備わる固有のバイアスが、係止縁部３９を隆起部３７と係合するように動かす。したがって、固定カラー３６はホースコネクタ３２にしっかりと接合又は取り付けられ、かつ、固定カラー３６とホースコネクタ３２との間に頭部カバー部材２２の材料が解放可能に固定される。有利には、前記接続は、レスピレータシステムの組み立て、並びに分解の容易さを高める。本開示は、外部源からレスピレータアセンブリ１０の内部へと呼吸可能な空気を供給するための、他の種類の連結装置を想定している事は認識されよう。
【００２１】
ここで図１を参照すると、頭部カバーアセンブリ１２は顔面シール部分４０を更に含み、この顔面シール部分４０は、着用者の顔を嵌め込んで、呼吸ゾーンを外部環境から分離するのを助けるために、頭部開口部２６に隣接して配置されてもよい。顔面シール４０は、頭部カバーアセンブリ１２の中に縫い合わされてもよい。好ましくは、顔面シール４０は、ユーザの皮膚と接触させる必要があるので、軟質材料で作製される。例示の実施形態では、顔面シール部分４０の外側周辺４０ａは、少なくとも着用者の口及び鼻の周囲に配置されるように構成される。一実施形態において、顔面シール４０の外側周辺４０ａは、少なくとも一部がユーザの顎先の下に配置される。
【００２２】
顔面シールは、ユーザが話すときにユーザの顎と一緒に動くことができるように、少なくとも部分的に弾性であってもよい。弾性特性はまた、顔面シール部分４０がユーザの顔の周囲にしっかりとフィットするのを可能にする。典型的な実施形態では、顔面シール部分４０は、顔面シール４０の周辺４０ａに沿って配置され、かつ、空気が呼吸ゾーンの中に漏れるのを低減する又は最小限にする少なくともある程度の封止の有効性又は一体性によって特徴づけられる、伸縮部材を有する。例えば、顔面シール部分４０は、スパンデックス（Spandex）（商標）等などの任意の好適な材料から作製されることができる弾性バンド（図示せず）を含んでもよい。あるいは、顔面シール部分４０自体が弾性特性を有していてもよい。着用者の頭部の周囲へのフィットを改善するために、頭部カバー部材２２に伸縮部材４１が提供されてもよい。
【００２３】
顔面シール部分４０は、底部４４に１つ以上の開口部４２を含んでもよい。底部４４の開口部４２は、頭部カバー部材に供給される呼吸可能な空気が、吐き出す際に出て行けるようにする。別の例示の実施形態では、１つ以上の開口部４２の替わりに、底部４４は、空気が流出できるようにする比較的空気透過性の材料を含んでもよい。空気をレスピレータシステム１０の外へ出すためのその他のアプローチを、本開示の例示の実施形態と共に用いることが可能である。
【００２４】
いくつかの例示の実施形態では、頭部カバーアセンブリ１２は、頭部カバーアセンブリ１２に取り付けられる１つ以上のタブ２５を備える。好ましくは、頭部カバーアセンブリ１２は、レスピレータシステム１０の内部に配置され、かつ頭部カバーアセンブリ１２の対向側部に取り付けられる、一対のタブ２５を備える。１つの例示の実施形態では、図１に図示されるように、タブ２５は、顔面シール４０の対向側部のそれぞれ（即ち、ユーザの顔に対して左側及び右側）に取り付けられる。タブ２５は、頭部カバー部材及び／又は顔面シールと同じ材料から形成されてもよい。１つの例示の実施形態では、１つ以上のタブは、少なくともある程度弾性である。図示された実施形態では、タブ２５のそれぞれは、例えば、頭部カバーアセンブリ１２を頭部サスペンションシステム１４に効果的に解放式に取り付けるために、レスピレータシステム１０の中に内向きに延出し、かつ頭部サスペンションシステム１４と協働するように構成される。
【００２５】
図１、図３、及び図４に示されるように、例示の実施形態における頭部サスペンションシステム１４は、細長い部材などのヘッドバンド部材５０を備えてもよい。ヘッドバンド部材５０は、バイザーアセンブリに着脱自在に取り付けられるように適合されてもよく、任意に、頭部カバーアセンブリ内部にも着脱自在に取り付けられるように適合されてもよい。結果として、レスピレータシステム１０の主要構成要素を組み立てることができ、かつ分解することができる。また、主要構成要素の折り畳み可能な又は折り畳み可能でない性質に起因して、一方では頭部サスペンション１４、及び他方ではバイザーアセンブリ１６を備える頭部カバーアセンブリ１２を、梱包容量を低減するために比較的平面形状に折り畳むことができ、これにより、出荷における、特に、比較的大量に出荷する場合の省力を提供する。例えば、ａ）頭部サスペンションシステム１４を組み込んだ頭部カバーアセンブリ１２及びバイザーアセンブリ１６を示す図１、ｂ）バイザーアセンブリ１６及び頭部カバーアセンブリ１２から取り外された頭部サスペンションシステム１４を示す図３、ｃ）広げられた状態で概ね平面形状を形成している頭部サスペンションシステム１４を示す図４、及びｄ）折り畳まれている頭部カバーアセンブリ１２、及び平坦にされて概ね平面形状を形成しているバイザーアセンブリ１６を示す図５、を比較して頂きたい。
【００２６】
更に、本開示に従って構成された頭部サスペンションは、成型によるなど、廉価なやり方で製造することが可能なワンピース一体構造であることができる。例示の実施形態に関連して単一構造を記載したが、本開示は、この構造に複数ピースを使用することができるとも思料する。ヘッドバンド部材５０は、ユーザの頭部にぴったり一致するように湾曲していてもよく、頭部サスペンションシステム１４は、三次元の頭部架台構造（図３）に形成されてもよい。
【００２７】
ここで図３を参照すると、例示の頭部サスペンションシステム１４は、第１及び第２の解放式の固定部分５４を備える。解放式の固定部分５４のそれぞれは、通常、細長いヘッドバンド部材５０の端部に隣接して設置される解放機構５８を備え、ウイングセグメント７８によって解放機構５８に接続されてもよい。好ましい実施形態では、両方の解放機構５８は同一であるので、それらの構成及び機能を理解するには、一方の説明で十分であるとみなすものとする。解放機構５８は、上記のやり方で、ヘッドバンド部材５０がバイザーアセンブリ１６の側面に着脱自在に取り付けられるのを可能とする。
【００２８】
図６Ａ及び図６Ｂは、横方向又は側部突出部などのバイザーの受容部に着脱自在に取り付けられることができる、例示の解放機構５８を図示している。例示の実施形態では、一対の解放機構５８のそれぞれは、バイザーアセンブリ１６の対向側部に（例えば、ユーザの顔に対して左側及び右側に）配置される一対の横方向突出部つまりタブ６０などの、バイザーアセンブリの一対の受容部の対応する一方に着脱自在に取り付けられるように構成される。受容部はバイザーから突出している必要はなく、その代わりに、任意の好適な構造を有してもよいことは、当業者には容易に理解されるであろう。
【００２９】
図６Ａ及び図６Ｂで見ると、例示の解放機構５８は、ここでは概ね矩形形状を有する基部７１と、ラッチ機構７０とを備えてもよい。例示の解放機構５８は、傾斜面７９と、少なくとも１つの保持部材７６ａであるが、好ましくは一対の保持部材７６ａ及び７６ｂとを備えてもよい。傾斜面７９は、１つ以上の突出部７７を備えてもよい。この１つ以上の突出部７７は、受容部を解放機構、特にラッチ機構７０ときつい嵌合関係に付勢するようなやり方で、バイザーアセンブリの受容部、例えば突出部６０と摩擦によって係合するように、適合される。
【００３０】
傾斜面７９及び保持部材７６ａは互いに対して配置されて、位置決め溝又はチャネル７２ａを画定することができる。位置決めチャネル７２ａは、適切に位置決めするために密着かつ固定するやり方で、側部突出部、つまりタブ６０の縁部６２ａを摺動自在に受容及び保持するように適合される。同様に、傾斜面７９及び保持部材７６ｂは互いに対して配置されて、位置決め溝又はチャネル７２ｂを画定することができる。位置決めチャネル７２ｂは、適切に位置決めするために密着かつ固定するやり方で、側部突出部、つまりタブ６０の縁部６２ａを摺動自在に受容及び保持するように適合される。位置決めチャネル７２ａ及び７２ｂはまた、バイザーアセンブリ１６に対する頭部サスペンションアセンブリ１４の変位（回転変位及び／又は直線変位等）を阻止する傾向にある。
【００３１】
ラッチ機構７０は、通常は図示された位置にバイアスされるように適合されてもよい。１つの例示の実施形態では、ラッチ機構７０は、傾斜面７９に向けて配置されるラッチ突出部７４を備える。ラッチ突出部７４は、バイザーアセンブリの受容部、例えば突出部６０に形成された開口部６４の中に付勢され得るように構成され、かつ寸法設定される。ラッチ突出部７４が開口部６４と係合すると、頭部サスペンションシステム１４に対するバイザーアセンブリ１６の直線変位が軽減し得る。有利には、これらアセンブリは、使用中は適切な位置合せに維持することができ、所望するときに分離することができる。
【００３２】
ラッチ機構７０は、ラッチ突出部７４を開口部６４から解放するために、ユーザによって押圧されるように構成されたレバー７５を更に含む。１つの例示の実施形態では、ラッチ機構７０は、レバー７５が押圧されるとラッチ突出部７４が開口部６４から離れて旋回するのを容易にする、リビングヒンジを形成する弾力材を含んでもよい。通常、ラッチ機構７０を分離するために、ユーザはレバー７５を下向きに押圧して、その他端を上向きに旋回させる。本開示は、記載の例示の実施形態の代わりに、様々な種類の解放可能な固定機構又はラッチ機構を使用することができることを想定している。
【００３３】
図７は、解放機構５００の別の例示の実施形態を図示している。この実施形態では、バイザー解放機構５００は、傾斜面５０２と隆起部５０４とを備える。隆起部５０４は、傾斜面５０２の周囲の少なくとも一部分を包囲するように配置されてもよい。開口５０６は傾斜面５０２に形成される。カバー部材５０８は傾斜面５０２に接続され、好ましくはカバー部材５０８はヒンジにより接続される。突出部５１０は、バイザー受容部が傾斜面５０２とカバー部材５０８との間に配置されるように、カバーが閉じた又は覆う位置に移動された場合に、バイザー受容領域の開口部６４と協働するように、カバー部材５０８の上に配置される。この構成は、他の例示の実施形態と同様に、構成要素の互いに対する変位を阻止することを意図している。
【００３４】
図３及び図４を更に参照すると、バイザー解放機構５８のそれぞれは、折り畳み軸１８０に関して折り畳まれる（図３）又は広げられる（図４）ことができる、対応するウイングセグメント７８に装着されてもよい。折り畳み軸１８０は、例えば、リビングヒンジタイプの接続部によって画定され得る。リビングヒンジによって折り畳みが達成されたように図示されているが、他の好適なヒンジタイプの構成体を使用してもよい。図４に示されるようにウイングセグメント７８が広げられた状態で、頭部サスペンションシステム１４全体は、概ね平面形状を形成することができる。頭部サスペンションシステムをバイザーアセンブリに接合することが望ましい場合は、ウイングセグメント７８がヘッドバンド部材５０と係合関係になるまで、折り畳み軸１８０に沿ってウイングセグメント７８を折り畳むことができる。係合関係の一例は、ウイングセグメント７８又はヘッドバンド部材５０の一方に開口部８４を設けることによって達成することができ、この開口部は、ウイングセグメント７８又はヘッドバンド部材５０の他の一方に形成される突起８６をその中に受容することができる。
【００３５】
頭部サスペンションシステム１４は、頭部架台構造の形成を容易にするためにヘッドバンド部材５０に接続される、９２、９６のようなストラップを更に備えてもよい。ストラップ９６は、任意の好適なやり方でストラップ９２の上の締結バックル９４と協働する、複数の隆起部９８を備えてもよい。頭部サスペンションシステム１４は、図示のようにヘッドバンド部材５０に接続される湾曲したストラップ１０２、１０６を更に備えてもよい。１つの例示の実施形態では、ストラップ１０２、１０６のそれぞれは、その中に形成される一対のＬ字形ブラケット１０４、１０８を有してもよい。Ｌ字形ブラケット１０４及び１０８は、ストラップ９２及び９６の対応する一方をその中に受容するように適合される。ストラップ９２及び９６がＬ字形ブラケット１０４及び１０８と協働することで、ユーザの頭部に頭部サスペンションシステムを調整可能に固定するためのアプローチがユーザに提供される。頭部サスペンションシステムの特定の構成が図示されているが、本開示は、いくつかの例示の実施形態ではストラップを使用しないこと、又はストラップに加えて、又はストラップに変えて架台を使用し得ることを想定している。
【００３６】
図４は、頭部サスペンションシステム１４が、一対の離間した保持部材１１０などの１つ以上の保持部材を更に備えることができることを示している。この１つ以上の保持部材１１０は、例えば、頭部カバー部材２２を頭部サスペンションシステム１４に着脱自在に取り付けるために、ヘッドバンド部材５０の上に設けられてもよい。１つの例示の実施形態では、保持部材１１０は、それぞれ、ペグ２１０と協働する。より詳細には、各保持部材は、そこを通してペグ２１０を受容するように構成された開口部１１２を形成する可撓性壁要素１１３を有してもよい。したがって、この例示の実施形態の組み立てられた構成では、ペグ２１０はタブ２５の開口部（図示せず）を通って、並びに保持部材１１０の開口部１１２を通って延出する。ペグ２１０は、タブ２５を保持部材１１０に対して固定する拡張したセグメント２１０ａを、その一端に有する。ペグ２１０は、更に、ペグが保持部材１１０に固定されるようにする拡張した部分２１０ｂを、その他端に更に有する。保持要素１１０及びペグ２１０は図のような寸法及び構成を有するが、他の寸法及び構成を使用することができることは理解されよう。頭部カバーアセンブリ１２又は顔面シール部分４０を頭部サスペンションシステム１４に着脱自在に固定するために、様々な機構を用いることが可能であることが理解されるであろう。また、頭部カバー部材を頭部サスペンションシステムに解放可能に接合するために、フックとループ、ボタンとボタンホール等のような、その他の締結又は保持機構を使用することが可能である。
【００３７】
当業者であれば、特許請求の範囲で示される本発明の趣旨及び範囲から逸脱することなく、本発明の原理に従って多種多様なその他の配列を容易に考案できることは理解されるであろう。本開示の方法及びシステムを、特定の例示的な実施形態を参照しながら説明してきたが、本開示の趣旨と範囲から逸脱しない変更と修正が可能であることは当業者により容易に理解され得るところである。
【図１】
2011504787.tif 000003
【図２】
2011504787.tif 000004
【図３】
2011504787.tif 000005
【図４】
2011504787.tif 000006
【図５】
2011504787.tif 000007
【図６ａ】
2011504787.tif 000008
【図６ｂ】
2011504787.tif 000009
【図７】
2011504787.tif 000010
【図８】
2011504787.tif 000011
【図９】
2011504787.tif 000012
【国際調査報告】
2011504787.tif 000013
2011504787.tif 000014
2011504787.tif 000015